(57)【特許請求の範囲】
【請求項１】
少なくとも１つの切断装置が設けられたパーソナルケア装置であって、
各切断装置は、外切断部材と、該外切断部材に対して少なくとも１つの移動方向に移動可能な内切断部材とを含み、該内切断部材は、各々が第１の切刃を有する複数の切断要素を含み、
仮想皮膚面における第１の切刃の投影が、前記内切断部材から離れる方向で面する前記外切断部材の側に位置し、且つ前記移動方向と平行に延びるとともに、前記切断装置が皮膚表面に対して作動位置にある場合に、該皮膚表面に対して平行に延びており、前記仮想皮膚面における第１の切刃の投影は、前記移動方向とで少なくとも第１のせん断角を囲み、
前記外切断部材は、各々が少なくとも１つの第１の切刃と協働する第２の切刃を有するような複数の毛進入開口部を含み、
前記仮想皮膚面における第２の切刃の投影が、前記移動方向とで少なくとも第２のせん断角を囲み、
前記内切断部材の少なくとも１つの第１の切刃と協働する第２の切刃を有するような前記外切断部材の全ての前記毛進入開口部のうちの少なくとも６０パーセントについて、前記移動方向に対して垂直に延びる平面における第１及び第２の切刃の投影は、それぞれ、前記切断装置の仮想皮膚面とで第１の傾斜角及び第２の傾斜角を囲み、
第１及び第２の傾斜角と第１及び第２のせん断角とは、前記毛進入開口部の切断位置に位置しており且つ前記仮想皮膚面に対して垂直に延びる１５０ミクロンの直径の仮想円筒毛を切断する少なくとも開始位置で、第１の切刃は、第１の接触位置で前記仮想円筒毛に接触し、且つ第２の切刃は、第２の接触位置で前記仮想円筒毛に接触するように選択され、
第１の接触位置は、第２の接触位置よりも前記仮想皮膚面に対してより近くにある、
パーソナルケア装置。
【請求項２】
前記内切断部材の少なくとも１つの第１の切刃と協働する第２の切刃を有するような前記外切断部材の全ての前記毛進入開口部のパーセントは、少なくとも８０である、
請求項１に記載のパーソナルケア装置。
【請求項３】
前記内切断部材の少なくとも１つの第１の切刃と協働する第２の切刃を有するような前記外切断部材の全ての前記毛進入開口部のパーセントは、１００である、
請求項１に記載のパーソナルケア装置。
【請求項４】
前記内切断部材の少なくとも１つの第１の切刃と協働する第２の切刃を有するような前記外切断部材の全ての毛進入開口部の少なくとも６０パーセントについて、前記毛進入開口部における前記仮想円筒毛の各切断位置において、第１の接触位置は、前記開始位置において、第２の接触位置よりも仮想皮膚面に対してより近くにあり、前記仮想円筒毛は、前記仮想皮膚面に対して垂直に延びる、
請求項１，２又は３に記載のパーソナルケア装置。
【請求項５】
前記内切断部材は、前記外切断部材に対して、前記切断装置の中心軸を中心にして回転可能であり、前記仮想皮膚面は、前記中心軸に対して垂直に延びる、
請求項１乃至４のいずれか一項に記載の前記パーソナルケア装置。
【請求項６】
少なくとも１つの前記毛進入開口部は、第２の切刃と反対側の切刃とによって境界が区切られ、
前記毛進入開口部の第１の端部の近くで、第２の切刃と前記反対側の切刃とは、湾曲部によって互いに接続される一方、該湾曲部から離れる側の前記毛進入開口部の第２の端部の近くで、前記毛進入開口部は、開いている、
請求項１乃至５のいずれか一項に記載のパーソナルケア装置。
【請求項７】
少なくとも１つの前記毛進入開口部は、第２の切刃と反対側の切刃とによって境界が区切られ、
前記毛進入開口部の第１の端部の近くで、第２の切刃と前記反対側の切刃は、湾曲部によって互いに接続される一方、該湾曲部から離れる側の前記毛進入開口部の第２の端部の近くで、前記毛進入開口部は、開いており、
第２の切刃は、第１の刃部と、第１の刃部に接続された第２の刃部とを含み、
第１の刃部は、第２の刃部よりも中心軸に対してより近くに配置され、
第１の刃部と前記移動方向との間で囲まれたせん断角は、第２の刃部と前記移動方向とによって囲まれたせん断角よりも小さく、
第１及び第２の傾斜角、第１のせん断角、及び第１の刃部のせん断角は、第１の切刃と、第２の切刃の第１の刃部との間の位置における前記仮想円筒毛を切断する開始位置において、第１の接触位置が、第２の接触位置よりも前記仮想皮膚面に対してより近くなるように選択される、
請求項１，２，３又は５に記載のパーソナルケア装置。
【請求項８】
第１及び第２の傾斜角は、５〜３０°の間である、
請求項１乃至７のいずれか一項に記載のパーソナルケア装置。
【請求項９】
請求項１乃至８のいずれか一項に記載のパーソナルケア装置用の切断装置。
【発明の詳細な説明】
【技術分野】
【０００１】
本発明は、少なくとも１つの切断装置が設けられたシェービング装置等パーソナルケア装置に関し、その切断装置は、外切断部材と、この外切断部材に対して少なくとも１つの移動方向に移動可能な内切断部材とを含む。内切断部材は、各々が第１の切刃を有する複数の切断要素を含む。仮想皮膚面における第１の切刃の投影(projection)が、内切断部材から離れる方向に面する外切断部材の側に位置し且つ移動方向に対して平行に延びるとともに、切断装置が皮膚表面に対して作動位置にある場合にこの皮膚表面に対して平行に延びており、その仮想皮膚面における第１の切刃の投影は、移動方向とで少なくとも第１のせん断角を囲み、外切断部材は、各々が少なくとも１つの第１の切刃と協働する第２の切刃を有するような複数の毛進入開口部を含む。仮想皮膚面における第２の切刃の投影は、移動方向とで少なくとも第２のせん断角を囲む。
また、本発明は、このようなパーソナルケア装置用の切断装置に関する。
【背景技術】
【０００２】
明細書特許文献１は、かみそり本体に設けられた外刃フレームを含むロータリーシェーバーについて開示する。外刃が、外刃フレームに設置され、且つリング形状の薄層部を有しており、この薄層部の上面がシェービング面である。薄層部は、毛進入開口部を含む。ロータリーシェーバーは、カッター刃を有する内刃も含む。内刃は回転可能であり、カッター刃が外刃の薄層部の下面と協働し、毛進入開口部に入った毛を切断する。これらの毛進入開口部のそれぞれは、一定のせん断角で内刃の回転方向に傾斜した直線に沿って形成される。
【０００３】
シェービング面、薄層部の下面だけでなくカッター刃の上部エッジは、中心軸に対して垂直に延びる。
カッター刃の上部切刃は、外刃の薄層部の下面に向けて方向付けられる。毛を切断するときに、カッター刃の切刃は、第１の接触位置で毛に接触する一方、毛進入開口部を規定する壁の切刃は、第２の接触位置で毛に接触する。
【０００４】
実際には、第１の接触位置が第２の接触位置よりもシェービング面からさらに離れて位置することによって、外刃の下面とカッター刃の切刃との間に比較的小さな切断ギャップが存在することになる。シェービング面までの距離に差があることによって、毛の切断中にカッター刃の切刃だけでなく外刃の切刃に及ぼされる力によって、これら切刃を離れる方向に付勢するトルクをもたらす。内刃の切刃と外刃の切刃との間の距離が大きくなり過ぎると、毛の切断が妨げられる。良好な切断結果を得るために切断ギャップを可能な限り小さく、そして理論的にゼロに維持するために、外刃の下面に対して内刃の切刃を押し付けるために加えられる軸方向の力が必要である。しかしながら、外刃の下面に対して内刃の切刃を押し付けるので、外刃に対して内刃を回転させるために、より大きな力が必要となる。さらに、これらの力は、内刃及び外刃の摩耗だけでなく、シェービング中に不快感もたらす発熱を生じさせ得る。
【０００５】
特許文献２は、複数の三角形状の毛進入用開口部を含むドーム形状の外切断部材を有するとともに、各々がドーム形状の外切断部材に一致する湾曲した切刃を有する２つの直線状の半径方向に延びる切断要素を有する内切断部材を含む電気シェーバーについて開示する。内切断部材の回転方向で見たときに、三角形の毛進入開口部は、内切断部材の回転軸に向けて及びこの回転軸から離れる方向に面するそれらの基部に連続的に配置される。その結果、回転切刃はそれぞれ、２つの連続する毛進入開口部の協働する切刃で正及び負のせん断角を囲む。
【０００６】
特許文献３は、外刃と、この外刃と協働して毛を剃るために回転可能な内刃とを含む乾燥式電気シェーバー用のブレードアセンブリについて開示する。外刃は、半径方向に実質的に延びる複数のスリットを含む。内刃と外刃のスリットとは、それら切刃ラインの交点が、ブレード面に亘って全ての位置で一定となるような最適な毛の保持角又は切断角を規定するように配置される。
【先行技術文献】
【特許文献】
【０００７】
【特許文献１】米国特許出願公開第２００８／０１４８５７３号
【特許文献２】米国特許第３，２２５，４４０号
【特許文献３】米国特許第３，８８９，３７２号
【発明の概要】
【発明が解決しようとする課題】
【０００８】
そこで、本発明の概略的な目的は、パーソナルケア装置を作動させるのに必要な力を低減させるようなパーソナルケア装置を提供することである。
【課題を解決するための手段】
【０００９】
第１の態様によれば、本発明は、冒頭の段落で述べた種類のパーソナルケア装置を提供する。内切断部材の少なくとも１つの第１の切刃と協働する第２の切刃を有するような外切断部材の全ての毛進入開口部の少なくともＰ％（パーセント）について、移動方向に対して垂直に延びる平面での第１及び第２の切刃の投影(projection)は、それぞれ、切断装置の仮想皮膚面とで第１の傾斜角及び第２の傾斜角を囲む。第１及び第２の傾斜角と第１及び第２のせん断角とは、毛進入開口部の切断位置に位置しており且つ仮想皮膚面に対して垂直に延びるような１５０ミクロンの直径を有する仮想円筒毛を切断する少なくとも開始位置で、第１の切刃は、第１の接触位置で仮想円筒毛に接触し、且つ第２の切刃は、第２の接触位置で仮想円筒毛に接触するように選択される。第１の接触位置は、第２の接触位置よりも仮想皮膚面に対してより近くにあり、Ｐは、少なくとも６０である。
【００１０】
実際には、毛の断面が異なる寸法及びサイズを有するので、１５０マイクロメートルの直径を有する仮想円筒毛を参照として使用する。仮想円筒状毛は、第１及び第２の切刃の正確な第１及び第２の傾斜角だけでなく、第１及び第２のせん断角の選択を可能にする手段を提供し、第１の接触位置は、第２の接触位置よりも仮想皮膚面に対してより近くにある。
仮想皮膚面までの距離に差があることによって、内切断部材及び外切断部材それぞれの第１及び第２の切刃上で個々の仮想円筒毛を切断する時に及ぼされる力によって、これらの切刃を互いに向けて押すようなトルクがもたらされる。仮想皮膚面までの距離の差が、内切断部材の少なくとも１つの第１の切刃と協働する第２の切刃を有するような外切断部材の全ての毛進入開口部の少なくとも６０％（パーセント）について存在するので、内切断部材の第１の切刃及び外切断部材の第２の切刃に及ぼされる全ての毛切断力の合計の力は、内切断部材と外切断部材と互いに向けて押圧する。従って、例えばバネ等の手段は、これらの切刃を互いに向けて押圧するのにパーソナルケア装置において必要とされない。
【００１１】
外切断部材に対する内切断部材の相対的な運動は、回転運動又は往復並進運動とすることができる。
往復並進運動の場合には、仮想皮膚面は、切断装置の主外面に対して平行に延びる。
実際には、毛は、仮想皮膚面に対して垂直に延びるだけでなく、他の方向にも延びる。第１及び第２の切刃の傾斜角だけでなく第１及び第２のせん断角の大きさに応じて、第１の接触位置は、仮想皮膚面に対して鋭角の範囲で延びる毛について、第２の接触位置よりも仮想皮膚面に対してより近くにある。
実際には、毛は、様々な直径の寸法を有することになる。第１の接触位置は、１５０マイクロメートルよりも小さい又は大きい直径を有する毛について、第２の接触位置よりも仮想皮膚面に対してより近くにある。
【００１２】
本発明に係るパーソナルケア装置の好適な実施形態では、Ｐは、少なくとも８０である。より好ましくは、Ｐは、１００である。
本発明に係るパーソナルケア装置の好適な実施形態では、内切断部材の少なくとも１つの第１の切刃と協働する第２の切刃を有するような外切断部材の全ての毛進入開口部の少なくともＰ％（パーセント）について、それぞれの毛進入開口部内の仮想円筒状毛の可能な切断位置において、第１の接触位置は、開始位置において第２の接触位置よりも仮想皮膚面に対してより近くにある。仮想円筒状毛は、仮想皮膚面に対して垂直に延びる。
このようにして、第１の切刃に対する仮想毛の位置とは無関係に、第１の接触位置は、第２の接触位置よりも仮想皮膚面に対してより近付けることが保証される。
【００１３】
本発明に係るパーソナルケア装置の好適な実施形態では、内切断部材は、外切断部材に対して切断装置の中心軸を中心にして回転可能であり、仮想皮膚面は、この中心軸に対して垂直に延びる。
内切断部材は、中心軸の周りで接線方向に移動可能である。第１及び第２の切刃が半径方向に対してせん断角で延びるので、第１及び第２の切刃は、接線方向に対して第１及び第２のせん断角で拡大する。移動方向に対して垂直に延びる平面は、軸方向だけでなく半径方向にも延びる。
そのような回転する内切断部材は一方向にのみ移動可能であるので、毛進入開口部の片側のみを第２の切刃に設ける必要がある。毛進入開口部の他の側には、特定の角度で延びる切刃を設ける必要がない。軸方向だけでなく半径方向に延びるその面内でのこれらの他の側の傾斜角は、好ましくは、外切断部材に比較的滑らかな内面を提供するために第２の切刃の傾斜角と同じにされる。
【００１４】
本発明に係るパーソナルケア装置の好適な実施形態では、少なくとも１つの毛進入開口部は、第２の切刃と反対側のエッジ（切刃）によって境界が区切られる。毛進入開口部の第１の端部の近くで、第２の切刃と反対側のエッジ（切刃）とは、湾曲した部分によって互いに接続される一方で、毛進入開口部の第２の端部近くで、毛進入開口部は、湾曲部から離れる方向の側で開いている。
毛進入開口部は、軸方向に開いており、且つＵ字型の開いた側で半径方向に部分的に開いている。毛は、軸方向及び半径方向の両方で毛開口部に入ることができ、それによって、毛は、スロット又は円筒開口部の形状を有する毛進入開口部よりもその毛進入開口部により容易に案内することができる。毛進入開口部の第２の端部は、毛進入開口部の湾曲部から離れた側で閉じられている。
【００１５】
本発明に係るパーソナルケア装置の好適な実施形態では、少なくとも１つの毛進入開口部は、第２の切刃と反対側のエッジ（刃先）とによって境界が区切られる。毛進入開口部の第１の端部の近くで、第２の切刃と反対側のエッジ（刃先）は、湾曲した湾曲部によって互いに接続される一方、湾曲部から離れた側の毛進入開口部の第２の端部の近くで、毛進入開口部は、開いている。第２の切刃は、第１の刃部と、第１の刃部に接続された第２の刃部とを含み、第１の刃部は、第２の刃部よりも中心軸に対して近くに配置され、第１の刃部と移動方向との間で囲まれたせん断角は、第２の刃部と移動方向とで囲まれたせん断角よりも小さい。第１及び第２の傾斜角と、第１のせん断角及び第１の刃部のせん断角は、第１の切刃と第２の切刃の第１の刃部との間の位置で仮想円筒毛を切断する開始位置で、第１の接触位置が、第２の接触位置よりも仮想皮膚面に対してより近くなるように選択される。
【００１６】
内切断部材を接線方向に回転させる場合に、中心軸から所定の距離に位置する毛は、第２の刃部によって第１の刃部に向けて移動される。毛を第２の刃部で切断することができるが、まず毛を第１の刃部に向けて案内し、第１の刃部で切断することが好ましい。第１の刃部は、中心軸に対してより近い位置にあるので、パーソナルケア装置に対する切断力の影響が低減される。
更なる態様によれば、本発明は、第１及び第２の傾斜角が５〜３０°の間、好ましくは１５°であるパーソナルケア装置を提供する。
このような傾斜角を用いることで、毛を毛進入開口部に容易に入れることができる一方、いくつかの異なる第１及び第２のせん断角の存在によって、第１の接触位置は、第２の接触位置よりも仮想皮膚面に対してより近くなる。また、このような傾斜角によって、快適で、毛との距離をより短くした適切なシェービング性能を得ることが可能になる。
【図面の簡単な説明】
【００１７】
【図１Ａ】従来技術による毛を切断する際の側面図である。
【図１Ｂ】従来技術による毛を切断する際の概略正面図である。
【図１Ｃ】従来技術による毛を切断する際の上面図である。
【図２】本発明に係るパーソナルケア装置の第１の実施形態の一部の斜視断面図である。
【図３】図２に示されるようなパーソナルケア装置の上面図である。
【図４】図２に示されるようなパーソナルケア装置の拡大部を示す図である。
【図５Ａ】従来技術による毛を切断する際の側面図である。
【図５Ｂ】従来技術による毛を切断する際の概略正面図である。
【図５Ｃ】従来技術による毛を切断する際の上面図である。
【図６】本発明に係るパーソナルケア装置の第２の実施形態の一部の斜視図である。
【図７】図２に示されるようなパーソナルケア装置の第１及び第２の切刃をＸ，Ｙ平面及びＸ，Ｚ平面で示す図である。
【図８】本発明に係るパーソナルケア装置の、Ｘ，Ｙ平面及びＸ，Ｚ平面において第１及び第２の切刃を有するいくつかの他の実施形態の概略図である。
【発明を実施するための形態】
【００１８】
図面において、同様の参照符号は、同様の要素を指す。
図１Ａ〜図１Ｃは、それぞれ、従来技術によるシェーバー等のパーソナルケア装置によって毛(hair)を切断する際の側面図、概略正面図、及び上面図を示す。
このようなパーソナルケア装置は、第１の切刃２を有する内切断部材１と、第２の切刃４を有する外切断部材３とを少なくとも含む。人の皮膚６から延びる毛５を切断する場合に、この毛は、第１の接触位置７で第１の切刃２に接触し、第２の接触位置８で第２の切刃４に接触する。外切断部材３の丸みを帯びた形状によって、第２の接触位置８は、外切断部材３の内面９から距離Ｈに位置することになる。距離Ｓは、第１の切刃２と外切断部材３の内面９との間の距離であり、一方距離ＳＷは、第１及び第２の接触位置７，８の間の有効切断ギャップであり、ここでＳＷ＝Ｓ＋Ｈである。内切断部材１は、矢印Ｐ１で示される方向に外切断部材３に対して移動可能である。第１及び第２の切刃２，４は、移動方向に対してせん断角Ａ１，Ａ２で延びる。有効切断ギャップＳＷは、内切断部材１の形状によって毛を切断する際に変動し、矢印Ｐ１で示される方向での毛５に対する切刃２，４の位置に依存する。距離ＳＷは、毛の前半部(first  half)を切断する際に最大となる。
【００１９】
毛５を切断するときに、力Ｆｍ，Ｆｌが、内切断部材１及び外切断部材３によって毛に及ぼされる。せん断角Ａ１，Ａ２によって、力Ｆｍ，Ｆｌは、力ＦｙＭ，ＦｘＭ，ＦｘＬ，ＦｙＬを生じさせる。力ＦｘＭが、力ＦｘＬよりも、皮膚６に対して実質的に平行に延びる仮想皮膚面１０からより大きな距離に位置するので、力ＦｘＬ，ＦｘＭによって、トルクＴｘが生じる。この距離の差は、距離ＳＷである。このトルクＴｘによって、第１の切刃２は、第２の切刃４から離れる方向に押される。第１及び第２の切刃２，４の間の距離を一定に維持するために、力ＦｘＭ及びＦｙＭに対して垂直に延びる力ＦｚＭを、内切断部材２に加える必要がある。この力ＦｚＭによって、磨耗や発熱が生じる。力ＦｙＭ，ＦｙＬによって、トルクＴｙも生じる。このトルクＴｙは、内切断部材２の軸受によって受け流される。
従来技術による上述したパーソナルケア装置では、有効切断ギャップＳＷは、ゼロより大きい。
【００２０】
本発明に係るパーソナルケア装置の場合には、以下で示すように、有効切断ギャップＳＷはゼロ以下であり、実際には、負となる。これは、毛を切断するときに、毛５に対して内部の第１の切刃２上の第１の接触位置７は、外部の第２の切刃４上の第２の接触位置８よりも仮想皮膚面１０に対してより近くに位置することを意味する。第１及び第２の接触位置７，８の相対位置によって、トルクＴｘは、従来技術の装置のように第１の切刃２を押し出すのではなく、第１の切刃２を第２の切刃４に向けて押す。
【００２１】
図２〜図４は、本発明に係るパーソナルケア装置の第１の実施形態の切断装置２１の様々な図を示す。切断装置２１を有するパーソナルケア装置は、当該技術分野において周知であり、さらに詳細には説明しない。パーソナルケア装置は、シェーバー、トリマー、グルーミング装置又は他の種類の切断装置であってもよい。このようなパーソナルケア装置の切断装置の全ては、内切断部材と外切断部材とを有しており、内切断部材は、外切断部材に対して回転可能な又は並進可能のいずれかである。
【００２２】
切断装置２１は、内切断部材２２と外切断部材２３とを有する。外切断部材２３は、中心シャフト２４と、この中心シャフト２４に対して垂直に延びるディスク２５とを有する。中心シャフト２４は、中心軸２６に対して平行に延びる。ディスク２５は、中心軸２６に対して垂直に延びる本体部２７を含む。外周縁の近くに、ディスク２５は、多数の歯２９を有する屈曲部２８を含む。歯２９は、アキシャル方向に、本体部２７から所定の距離に配置される。図３に確認されるように、各歯２９は、第１及び第２の側面３０，３１を有しており、これらの側面は、湾曲部３２を介して互いに接続される。互いに隣接して配置された歯２９が、湾曲部３３を介して互いに接続される。歯２９同士の間に、外切断部材２３の複数のＵ字形状の毛進入開口部３４が配置される。
【００２３】
内切断部材２２は、中空シャフト３５と、この中空シャフト３５に対して垂直に延びるディスク３６だけでなく、このディスク３６に対して平行に延びるギヤ３６’とを有する。中空シャフト３５は、外切断部材２２のシャフト２４と同軸に延びる。ギヤ３６’は、矢印Ｐ２で示される方向に、中心軸２６を中心にして内切断部材２２を回転させるための他の駆動手段に接続される。このような駆動手段は、当技術分野で周知であり、更なる説明を省略する。ディスク３６は、中心軸２６に対して垂直に延びる本体部３７を含む。外周縁の近くに、ディスク３６は、内切断部材２２の複数の切断要素を形成するような多数の歯３９を有する屈曲部３８を含む。歯３９は、歯２９の近くに配置される。
各歯３９の第１の面４０が、第１の切刃５０を形成し、この第１の切刃５０は、第２の切刃５１を形成する歯２９の第１の側面３０と協働する。
【００２４】
図３に明確に確認されるように、第１の切刃５０は、半径方向に延びるライン４６とでせん断角Ａ３を囲む一方、第２の切刃５１は、ライン４６とでせん断角Ａ４を囲む。両方のせん断角Ａ３，Ａ４は、ゼロ度よりも大きい。
図４に確認されるように、内切断部材２２及び外切断部材２３の歯２９，３９は、仮想平面１０に対して傾斜され、その仮想平面１０とで傾斜角Ａ５を囲む。仮想平面１０は、中心軸２６に対して垂直に延びており、且つ内切断部材２２から離れる方向に面する、外切断部材２３の側に位置する。
パーソナルケア装置を作動しているときに、内切断部材２２は、人の皮膚表面に対して実質的に垂直に延びるような中心軸２６を中心に回転する。毛は、毛進入開口部３４内に捕獲される。内切断部材２２の更なる移動により、捕獲された毛は、第１及び第２の切刃５０，５１が協働することによって切断される。
【００２５】
図５Ａ〜図５Ｃは、第１及び第２の切刃５０，５１によって切断される毛５を概略的に示しており、第１及び第２の切刃５０，５１は、矢印Ｐ２で示される方向に対してせん断角Ａ１，Ａ２で延びており、皮膚表面及び仮想皮膚面１０に対して傾斜角Ａ５で傾斜する。
毛５を切断するときに、毛５は、第１の接触位置５２で第１の切刃５０に接触し、第２の接触位置５３で第２の切刃５１に接触する。力ＦｙＭ，ＦｘＭ，ＦｘＬ，ＦｙＬが、切刃５０，５１によって毛５に及ぼされる。角度Ａ１，Ａ２及びＡ５によって、内切断部材２２の第１の切刃５０によって及ぼされる力ＦｘＭ，ＦｙＭは、外切断部材２３の第２の切刃５１によって及ぼされる力ＦｘＬ，ＦｙＬよりも、仮想皮膚面１０からより小さい距離に位置する。この距離の差は、−ＳＷの距離である。力ＦｘＭ，ＦｘＬによって、トルクＴｘが生じる。トルクＴｘの方向は、図１に示されるトルクとは反対側の方向である。トルクＴｘによって、第１の切刃５０は、従来技術の装置のように第２の切刃５１から離れる方向に押されるが、第２の切刃５１に向けて押されることはない。第１及び第２の切刃５０，５１の間の距離Ｓを一定に維持するために、力ＦｘＭ，ＦｙＭに対して垂直な方向に内切断部材２２に加える力は、全く又は殆ど必要ない。そのような力を加える必要がほぼ無いので、摩耗や発熱もほぼ発生しない。力ＦｙＭ、ＦｙＬによって、トルクＴｙが生じる。このトルクＴｙは、内切断部材２の軸受によって受け流される。
【００２６】
本発明に係るパーソナルケア装置の第１の実施形態の切断装置２１では、内切断部材２２の少なくとも１つの第１の切刃５０と協働する第２の切刃５１を有するような外切断部材２３の全ての毛進入開口部３４について、内切断部材２２の第１の切刃５０によって毛５に及ぼされる力が、外切断部材２３の第２の切刃５１により毛５に及ぼされる力よりも、仮想皮膚面１０からより小さい距離に位置していることに留意されたい。毛切断力を受けた状況下で内切断部材２２が外切断部材２３から離れる方向に押されるのを防止し且つ内切断部材２２及び外切断部材２３を互いに向けて押す例えばばね力等の必要な釣合力の使用を止めるために、外切断部材２３の全ての毛進入開口部３４について、必ずしも内切断部材２２の第１の切刃５０によって毛５に及ぼされる力を、外切断部材２３の第２の切刃５１によって及ぼされる力よりも、仮想皮膚面１０からより小さい距離に位置する必要はない。本発明によれば、内切断部材２２の少なくとも１つの第１の切刃５０と協働する第２の切刃５１を有するような外切断部材２３の全ての毛進入開口部３４の少なくとも６０％（パーセント）の割合について、せん断角Ａ３，Ａ４と、内切断部材２２及び外切断部材２３の傾斜角Ａ５とは、毛進入開口部３４内の切断位置に位置しており且つ仮想皮膚面１０に対して垂直に延びる毛５を切断する開始位置において、内切断部材２２の第１の切刃５０が、第１の接触位置で毛５と接触しており、外切断部材２３の第２の切刃５１が、第２の接触位置で毛５と接触するように選択すべきであり、ここで第１の接触位置は、第２の接触位置よりも仮想皮膚面１０により近い位置にある。その割合が少なくとも６０％である場合には、内切断部材２２の第１の切刃５０と外切断部材２３の第２の切刃５１とに及ぼされるような全ての毛切断力の平均は、内切断部材２２と外切断部材２３とを互いに向けさせるような力である。より好ましくは、その割合は、少なくとも８０％である。
【００２７】
図６は、本発明に係るパーソナルケア装置の切断装置６１の更なる実施形態の概略図を示し、この切断装置は、第１の切刃６３を有する内切断部材６２と、第２の切刃６５を有する外切断部材６４とを含む。内切断部材６２は、外部切断部材６４に対して中心軸２６（図６には図示せず）を中心に回転可能である。図６では、１つのみの第１の切刃６３と１つのみの第２の切刃６５とが、示されている。上述した切断装置２１と同様に、切断装置６１は、多数の切刃６３，６５を含む。第２の切刃６５は、第１の刃部６６と、この第１の刃部６６に接続された第２の刃部６７とを含む。第１の刃部６６は、第２の刃部６７よりも中心軸２６の近くに位置する。第１の刃部６６は、半径方向に延びるライン４６とでせん断角Ａ６を囲むとともに、矢印Ｐ２で示される方向にライン４６から延びる一方、第２の刃部６７は、半径方向に延びるライン４６とでせん断角Ａ７を囲むとともに、矢印Ｐ２で示される方向とは反対方向にライン４６から延びる。毛５を切断するときに、第２の刃部６７と接触している毛５は、中心軸２６に向けて押され、第１の刃部６６で切断される。図６に示されるような切断装置６１の実施形態では、第１の切刃６３の第１の傾斜角、第２の切刃６５の第２の傾斜角、第１の切刃６３の第１のせん断角、及び第２の切刃６５の第１の刃部６６のせん断角Ａ６は、毛５が第１の切刃６３と第２の切刃６５の第１の刃部６６とによって切断される開始位置にあるときに、毛５と第１の切刃６３との間の第１の接触位置が、毛５と第２の切刃６５の第１の刃部６６との間の第２の接触位置よりも仮想皮膚面に対してより近くなるように選択される。第１の刃部６６は、中心軸２６に対してより近くに配置されるので、パーソナルケア装置に対する切断力の影響は、さらに低減される。
【００２８】
図７は、第１の切刃７１と第２の切刃７２とによって、１５０マイクロメートルの直径Ｄの毛７０を切断する原理を概略的に示す。毛の平均直径は、１５０マイクロメートルである。毛を切断する原理は、異なる直径の毛にも当てはまる。第１の切刃７１は、第２の切刃７２に対してＹ方向に移動可能である。ＸＹ方向に延びる仮想平面７３は、ユーザの皮膚表面に対して平行に延びるとともに、Ｚ方向に対して垂直に延びる。
第１の切刃７１は、移動方向に対して９０度のせん断角Ａ８で且つ仮想面７３に対して傾斜角Ａ９で延びる。
第２の切刃７２は、移動方向に対してせん断角Ａ１０で且つ仮想平面７３に対して傾斜角Ａ９でも延びる。
【００２９】
毛７０を切断する開始位置において、第１の切刃７１は、第１の接触位置７４で毛７０に接触する一方、第２の切刃７２は、第２の接触位置７５で毛７０に接触する。角度Ａ８，Ａ９，Ａ１０によって、第１の接触位置７４は、第２の接触位置７５よりも仮想皮膚面７３に対してより近くに配置され、上述したようにトルクＴｘがもたらされ、第２の切刃７２に向けて第１の切刃７１に力を加える。
第１及び第２の切刃７１，７２の傾斜角Ａ９は、好ましくは約５〜約３０°であり、より好ましくは約１５°である。
角度Ａ８，Ａ９，Ａ１０の大きさは、第１の接触位置７４が第２の接触位置７５よりも仮想皮膚面７３に対してより近くに配置された場合に、決定される。
【００３０】
図８の符号Ａ〜Ｒは、仮想平面７に対する第１及び第２の切刃７１，７２の様々な相対位置を示し、図８の符号Ａ及び符号Ｋは、Ｘ，Ｚ平面における第１及び第２の切刃７１，７２を示し、第１及び第２の切刃７１，７２の間の距離は、両方の切刃を表示するために誇張されている。実際には、Ｚ方向の距離は、可能な限り小さい。図８の符号Ｂ〜符号Ｈ及び図８の符号Ｌ〜符号Ｒは、Ｘ，Ｙ平面における第１及び第２の切刃７１，７２を示す。Ｙ方向は、移動方向を示す。この移動は、直線往復運動又は回転運動とすることができる。回転運動の場合には、Ｘ方向が半径方向を示し、Ｙ方向が、接線方向を示す一方で、Ｚ方向は、軸方向を示す。
図８の符号Ａに確認されるように、切刃７１，７２の左側Ｌは、右側Ｒよりも仮想皮膚面７３からさらに離れて位置している。
【００３１】
図８の符号Ｂ〜符号Ｄでは、切刃７１，７２は、交点７６で交差し、この交点７６は、切刃７１，７２の左側Ｌに位置している。これらの３つの実施形態について、Ｘ方向に対する第１及び第２の切刃７１，７２のせん断角Ｂ１，Ｂ２は、Ｂ２の絶対値がＢ１の絶対値よりも大きくなるようにされる。
図８の符号Ｅでは、せん断角Ａ８＝Ａ１０である。
図８の符号Ｆ〜符号Ｈでは、切刃７１，７２は、交点７６で交差し、この交点７６は、切刃７１，７２の右側Ｒに位置している。これら３つの実施形態について、Ｘ方向に対する第１及び第２の切刃７１，７２のせん断角Ｂ３，Ｂ４は、Ｂ４の絶対値が、Ｂ３の絶対値よりも小さくなるようにされる。
これら全ての実施形態では、第１の接触位置７４は、第２の接触位置７５よりも仮想皮膚面７３に対してより近くに配置される。
図に確認されるように、図８の符号Ｋ〜符号Ｒは、図８の符号Ａ〜符号Ｈの鏡像関係にあり、作動原理は同じである。
【００３２】
当業者は、本発明が好適な実施形態に限定されるものではないことを理解するであろう。開示された実施例に対する他の変形形態は、図面、明細書の開示、及び添付の特許請求の範囲の検討から請求項に記載された発明を実施する際に当業者によって理解され且つ行うことができる。
請求項において、「備える、有する、含む(comprising)」という用語は、他の要素又はステップを排除するものではなく、不定冠詞「１つの(a,  an)」は、複数を除外するものではない。特定の手段が互いに異なる従属請求項に記載されているという単なる事実は、これらの手段の組合せが有利に使用できないことを示すものではない。
請求項における任意の参照符号は、特許請求の範囲を限定するものとして解釈すべきではない。
【符号の説明】
【００３３】
１      部材
２      切刃
３      部材
４      切刃
５      毛
６      皮膚
７      位置
８      位置
９      面
１０    仮想皮膚面
２１    切断装置
２２    内部切断部材
２３    外部切断部材
２４    シャフト
２５    ディスク
２６    中心軸
２７    本体部
２９    歯
３０    側面
３１    側面
３２    湾曲部
３３    湾曲部
３４    毛進入開口部
３５    シャフト
３６    ディスク
３６’  ギヤ
３７    本体部
３８    屈曲部
３９    歯
４０    側面
４６    ライン
５０    第１の切刃
５１    第２の切刃
５２    位置
５３    位置
６１    装置
６２    部材
６３    切刃
６４    部材
６５    切刃
６６    第１の刃部
６７    第２の刃部
７０    毛
７１    切刃
７２    切刃
７３    面
７４    第１の接触位置
７５    第２の接触位置
７６    交点
Ａ１    角度
Ａ２    角度
Ａ４    角度
Ａ３    角度
Ａ５    角度
Ａ７    角度
Ａ８    角度
Ａ９    角度
Ａ１０  角度
Ｂ１    角度
Ｂ２    角度
Ｂ３    角度
Ｂ４    角度
Ｄ      直径
Ｆｍ    力
Ｆｌ    力
ＦｙＭ    力
ＦｘＭ    力
ＦｘＬ    力
ＦｙＬ    力
Ｈ      距離
Ｌ      左側
Ｐ１    矢印
Ｐ２    矢印
Ｒ    右側
Ｓ    距離
Ｔｘ  トルク
Ｔ    トルク
ＳＷ  ギャップ
【図１Ａ】
0006325671.tif 000002
【図１Ｂ】
0006325671.tif 000003
【図１Ｃ】
0006325671.tif 000004
【図２】
0006325671.tif 000005
【図３】
0006325671.tif 000006
【図４】
0006325671.tif 000007
【図５Ａ】
0006325671.tif 000008
【図５Ｂ】
0006325671.tif 000009
【図５Ｃ】
0006325671.tif 000010
【図６】
0006325671.tif 000011
【図７】
0006325671.tif 000012
【図８】
0006325671.tif 000013